【手続補正書】
【提出日】平成17年10月14日(2005.10.14)
【手続補正１】
【補正対象書類名】明細書
【補正対象項目名】特許請求の範囲
【補正方法】変更
【補正の内容】
【特許請求の範囲】
【請求項１】  光源と、
この光源よりも照明方向前方に配置された光学部材とを有し、
前記光学部材は、前記光源の径方向を含む面内において、前記光源からの光を前方に反射する反射面と、前記光源から発せられた光束のうち、該光源の射出光軸から周辺部までの領域の光束を前記反射面に向かわせる少なくとも一つの光学面とを有することを特徴とする照明装置。
【請求項２】  前記光学面は、前記光源からの光を、前記射出光軸を境にして前記射出光軸の方向とは異なる方向に振り分けることを特徴とする請求項１に記載の照明装置。
【請求項３】  前記光学面として、前記光源からの光のうち前記射出光軸付近の光を前記反射面に向けて反射する面を含むことを特徴とする請求項１に記載の照明装置。
【請求項４】  前記光学部材は、前記反射面で反射された光を射出する射出面を有し、この射出面は前記射出光軸を境にして一対となるように形成されていることを特徴とする請求項１から３のいずれかに記載の照明装置。
【請求項５】  請求項１から４のいずれかに記載の照明装置を備えたことと特徴とする撮影装置。
【手続補正２】
【補正対象書類名】明細書
【補正対象項目名】００３７
【補正方法】変更
【補正の内容】
【００３７】
本実施形態の光学部材１の特徴点は以下の通りである。本実施形態では、光学部材１の入射面１ａ、１ａ’、反射面１ｂ、１ｂ’及び射出面１ｃ、１ｃ’の３つの面を曲面により構成している。これにより、閃光放電管２から射出した光束は、射出光軸と平行な方向に方向変換されて被写体側に照射される。
【手続補正３】
【補正対象書類名】明細書
【補正対象項目名】００３８
【補正方法】変更
【補正の内容】
【００３８】
閃光放電管２から射出した光束は、反射面１ｂ、１ｂ’で全反射される。なお、全反射とは、光の屈折率の高い媒質から屈折率の低い媒質に光が進むときに、入射角がある角度以上になると、境界面で光がすべて反射する現象をいう。
【手続補正４】
【補正対象書類名】明細書
【補正対象項目名】００４２
【補正方法】変更
【補正の内容】
【００４２】
また、光学部材１には、一般的に色温度補正用の着色料が混入されているが、透過する光の光路長の長さが異なると、色補正の効果が光路によって異なってしまい均一に色補正するのが困難となる。
【手続補正５】
【補正対象書類名】明細書
【補正対象項目名】００４３
【補正方法】変更
【補正の内容】
【００４３】
これに対して、本実施形態では、閃光放電管２から照射された光束が全て反射面１ｂ、１ｂ’によって反射され反射光となる。これにより、光学部材１内を通る光束の光路長が、ほぼ一定に保たれるため、均一な色補正を可能とした照明装置２７を提供することができる。
【手続補正６】
【補正対象書類名】明細書
【補正対象項目名】００４４
【補正方法】変更
【補正の内容】
【００４４】
次に、光学部材１の形状と閃光放電管２から射出した光束が光学部材１内においてどのような挙動を示すか図２を用いて詳細に説明する。
【手続補正７】
【補正対象書類名】明細書
【補正対象項目名】００４６
【補正方法】変更
【補正の内容】
【００４６】
しかし、設計段階では、閃光放電管２から射出される光を効率よく制御するためには、閃光放電管２の内径全部の光束を同時に考えるより、理想的に閃光放電管２の中心に点光源があると仮定して光学系の形状を設計し、その後に、光源が有限の大きさを持っていることを考慮した補正を行うことにより効率良く設計することができる。
【手続補正８】
【補正対象書類名】明細書
【補正対象項目名】００５１
【補正方法】変更
【補正の内容】
【００５１】
射出面１ｃ、１ｃ’は、射出光軸を境に対称的に構成された略Ｖ字形状の曲面であり、シリンドリカルレンズ面により構成されている。反射面１ｂ、１ｂ’で方向変換された光束は、射出面１ｃ、１ｃ’から射出する際に屈折され、図２に示す断面に関して射出光軸方向と略平行な方向に方向転換される。
【手続補正９】
【補正対象書類名】明細書
【補正対象項目名】００５４
【補正方法】変更
【補正の内容】
【００５４】
そして、閃光放電管２から射出した光束（複数の光線）は、その射出方向に応じて、射出面１ｃ、１ｃ’上で１対１に対応するように並んで配列させることができ、射出面１ｃ、１ｃ’上の同一点から複数の方向に向かう成分は存在しない。
【手続補正１０】
【補正対象書類名】明細書
【補正対象項目名】００６６
【補正方法】変更
【補正の内容】
【００６６】
一方、本実施形態の光学部材１の各曲面は、曲率の大きなシリンドリカルレンズによって構成されている。この形状は、各部品の加工精度による誤差や光学系の組み立て上の位置ずれの影響に対して強い構成とするのに有利である。
【手続補正１１】
【補正対象書類名】明細書
【補正対象項目名】００８５
【補正方法】変更
【補正の内容】
【００８５】
本実施形態では、閃光放電管２から射出した光束が、射出面１ｃ、１ｃ’の全面から集光された状態で射出するストロボ光学系の構成を示した。しかし、本実施形態の照明装置は、ここに示した構成だけに限定されない。
【手続補正１２】
【補正対象書類名】明細書
【補正対象項目名】００９８
【補正方法】変更
【補正の内容】
【００９８】
この場合、閃光放電管３２から射出された光束は、少なくとも第２の反射面３１ｄ、３１’ｄ及び射出面３１ｅ、３１’ｅを必ず通過するように構成されている。
【手続補正１３】
【補正対象書類名】明細書
【補正対象項目名】０１１３
【補正方法】変更
【補正の内容】
【０１１３】
さらに、図７にも示すように、本実施形態でも第１実施形態と同様に、閃光放電管３２から射出した光束（複数の光線）が、光学部材３１、３１’の射出面３１ｅ、３１’ｅ上で互いに交差・干渉することなく連続的に並んで被写体に到達するようにしている。すなわち、閃光放電管３２から射出した光束（複数の光線）が、射出面上で１対１に対応し、かつ射出光軸と平行な成分に変換されるように光学部材３１、３１’を構成している。
【手続補正１４】
【補正対象書類名】明細書
【補正対象項目名】０１１８
【補正方法】変更
【補正の内容】
【０１１８】
まず、光学系の上下方向の寸法の理想形状に関して説明する。図６に示した光源の径方向を含む断面において、光学部材３１、３１’の射出面３１ｅ、３１’ｅを含む開口部の高さＡと光学部材３１、３１’の奥行きＤとの比を以下の範囲にする。
【手続補正１５】
【補正対象書類名】明細書
【補正対象項目名】０１２１
【補正方法】変更
【補正の内容】
【０１２１】
本実施形態の場合について、実際の数値を当てはめてみると、光学部材３１の奥行きＤが５．８ｍｍ、光学部材３１の射出面の開口部高さＡが１０．０ｍｍであり、これらの値を式（２）に代入すると、Ａ／Ｄ＝１．７２となり、上記関係式（２）の範囲に入っていることがわかる。
【手続補正１６】
【補正対象書類名】明細書
【補正対象項目名】０１２５
【補正方法】変更
【補正の内容】
【０１２５】
一方、上限値である７５°を超えてしまうと、上下の開口が広がり過ぎてしまうばかりでなく、すべての光束を第２の全反射面３１ｄ、３１ｄ’にて全反射させることが困難となり照明装置の光損失が大きくなるおそれがある。
【手続補正１７】
【補正対象書類名】明細書
【補正対象項目名】０１５８
【補正方法】変更
【補正の内容】
【０１５８】
さらに、図１２にも示すように、本実施形態の基本的な考え方も第１及び第２実施形態と同様に、閃光放電管４２から射出した光束（複数の光線）が、光学部材４１、４１’の射出面４１ｅ、４１’ｅ上に互いに交差・干渉することなく連続的に並んで到達するように構成することにある。すなわち、閃光放電管４２から角度を振った光線が、射出面４１ｅ、４１’ｅ上で１対１に対応するようになっている。